(57)【特許請求の範囲】
【請求項１】
複数のペイル容器内にワイヤがコイル状に収納され、先行して使用するペイル容器内のワイヤの終端末と次に使用するペイル容器内のワイヤの始端末を接続して複数のペイル容器内のワイヤを連続して引き出すようにしたワイヤの引出し装置であって、前記複数のペイル容器の間の上方に第１の接続部材を鉛直軸廻りに回転自在に設け、略水平となった支持部材の一端を前記第１の接続部材に固定し、ワイヤ導入孔を設けた第２の接続部材を前記支持部材に移動可能に取付け、前記支持部材の回転および第２の接続部材の直線運動により、前記ワイヤ導入孔がワイヤの引出し端部の動きに合わせて自在に移動するワイヤ引出し装置。
【発明の詳細な説明】
【０００１】
【発明の属する技術分野】
この発明は、ペイル容器にコイル状に収納した溶接用ワイヤを引き出すワイヤ引出し装置に関するものである。
【０００２】
【従来の技術】
従来、溶接用ワイヤ（以下、ワイヤという）を大量に使用する場合には、複数のペイル容器を並べて、先行して使用するペイル容器のワイヤの終端末と次に使用するペイル容器のワイヤの始端末をバット溶接により接続して連続使用することが試みられている。
【０００３】
このような構成を有する従来のワイヤ引出し装置の一例を図４に示す。１は先行して使用するパック、２は次に使用するパックであり、それぞれペイル容器１１内にワイヤ１２がコイル状に収納され、ワイヤ押え治具１３で押えてある。パック１のワイヤ１２の終端末とパック２のワイヤ１２の始端末は部分１４で接続されている。また、２個のパック１，２の間の上方に支柱５１を鉛直方向に設け、ワイヤ１２を送給装置に挿通するワイヤ案内部材５４のワイヤ導入孔５０を支柱５１に固定していた。
【０００４】
さらに、この例の他に例えば実開昭６０−１５１６７７号公報に記載されているような構成を有するワイヤ引出し装置があり、図５に示す。図５のワイヤ引出し装置は、図４と同様に支柱５１を設けている。また、この支柱５１の廻りに接続部材５３を回転自在に取付け、支柱５１に直交する支持部材５８の一端を接続部材５３に固定し、支持部材５８の他端にワイヤ導入孔５６を設けている。その他の例を図６に示す。図６のワイヤ引出し装置は、２個のパック１，２の上方に支持部材５２を水平方向に設け、ワイヤ導入孔５６を設けた移動部材５７を支持部材５２に移動可能に取付けている。
【０００５】
【発明が解決しようとする課題】
しかしながら、上記の従来の構成では、複数のパック１，２を連続使用する場合に、ワイヤ１２の弛みが大きくなって、ワイヤ１２のはね上がり、もつれ、およびパック１，２の周辺の非絶縁体に接触してワイヤ１２が短絡し、溶融する問題、また二重構造のパック１，２の場合には内筒にワイヤ１２が絞り付いてしまうといった問題等が発生することがある。この場合、溶接を中断するので、溶接欠陥が発生したり、補修作業を行う必要があり、このような補修作業を含む作業ロスが発生するため、安定した引出し性能が得られないという問題点があった。
【０００６】
したがって、この発明の目的は、上記従来の課題を解決するもので、複数のパックを連続使用する場合に、溶接を中断することなく安定した引出し性能を得ることができるワイヤ引出し装置を提供することである。
【００１１】
【課題を解決するための手段】
請求項１記載のワイヤ引出し装置は、複数のペイル容器内にワイヤがコイル状に収納され、先行して使用するペイル容器内のワイヤの終端末と次に使用するペイル容器内のワイヤの始端末を接続して複数のペイル容器内のワイヤを連続して引き出すようにしたワイヤ引出し装置であって、複数のペイル容器の間の上方に第１の接続部材を鉛直軸廻りに回転自在に設け、略水平となった支持部材の一端を第１の接続部材に固定し、ワイヤ導入孔を設けた第２の接続部材を支持部材に移動可能に取付け、前記支持部材の回転および第２の接続部材の直線運動により、前記ワイヤ導入孔がワイヤの引出し端部の動きに合わせて自在に移動することを特徴とするものである。
【００１２】
上記のように構成したワイヤ引出し装置は、支持部材が第１の接続部材とともに鉛直軸廻りに回転自在であり、第２の接続部材が支持部材に沿って移動可能であるので、第２の接続部材に設けたワイヤ導入孔は、複数のペイル容器の中央と中央を移動するだけでなく、ペイル容器内のワイヤの引出し端部の動きに合わせて逐次自在に移動し、ワイヤを拘束することができる。このため、上記ワイヤ導入孔とペイル容器内のワイヤとの間のワイヤの弛みが小さくなって、ワイヤのはね上がり、もつれ、およびペイル容器周辺の非絶縁体に接触する問題を防止でき、また二重構造のペイル容器の場合にも内筒にワイヤが絞り付いてしまうことがない。その結果、溶接が中断しないので、溶接欠陥や作業ロスの発生もなく、複数のペイル容器内のワイヤを連続使用することができ、安定した引出し性能を得ることができる。さらに、複数のペイル容器の間の上方に第１の接続部材を鉛直軸廻りに回転自在に設け、略水平となった第１の支持部材の一端を第１の接続部材に固定し、第１の支持部材の他端に鉛直軸廻りに回転自在で中心にワイヤ案内部を設けた第２の接続部材を取付け、斜め下方向に向けて第２の支持部材の一端を第２の接続部材に固定し、第２の支持部材のいずれかの部分にワイヤ導入孔を設けた構成と比較すると、第２の支持部材の回転運動を、支持部材の回転および第２の接続部材の直線運動に置き換えているので、第２の支持部材を省略することができ、装置の構造を簡略にすることができる。
【００１３】
【発明の実施の形態】
参考例１のワイヤ引出し装置を図１に基づいて説明する。１は先行して使用するパック、２は次に使用するパックであり、それぞれペイル容器１１内にワイヤ１２がコイル状に収納され、ワイヤ押え治具１３で押えてある。パック１のワイヤ１２の終端末とパック２のワイヤ１２の始端末は部分１４で接続され、２個のパック１，２のワイヤ１２を連続して引き出すようにしている。また、引き出されたワイヤ１２はワイヤ案内部材３を通して送給装置に送給される。
【００１４】
上記の構成において、２個のパック１，２の間の上方に支柱２１を鉛直方向に設けている。この支柱２１には上記ワイヤ案内部材３が固定される。また、ワイヤ案内部材３の下方の支柱２１の廻りに第１の接続部材２３を回転自在に取付け、略水平となった第１の支持部材２２の一端を第１の接続部材２３に固定している。これにより、第１の支持部材２２は第１の接続部材２３とともに支柱２１の廻りに回転自在となる。また、第１の支持部材２２の他端に鉛直軸廻りに回転自在で中心にワイヤ案内部を設けた第２の接続部材２５を取付け、斜め下方向に向けて第２の支持部材２４の一端を第２の接続部材２５に固定している。これにより、第２の支持部材２４は第２の接続部材２５とともに鉛直軸廻りに回転自在となる。また、第２の支持部材２４のいずれかの部分にワイヤ導入孔２６を設けている。ワイヤ１２は、ワイヤ導入孔２６から第２の接続部材２５のワイヤ案内部を通ってワイヤ案内部材３へ送られる。
【００１５】
つぎに、このワイヤ引出し装置の動作について説明する。すなわち、第１の支持部材２２をパック１側へ回転させて第２の接続部材２５をパック１の略軸心に位置させる。この状態でパック１のワイヤ１２を引き出すと、第２の支持部材２４が回転してワイヤ導入孔２６がワイヤ１２の引出し端部の動きに合わせて自在に移動し、ワイヤ１２を拘束する。パック１のワイヤ１２がなくなると、第１の支持部材２２をパック２側へ回転させて第２の接続部材２５をパック２の略軸心に位置させ、パック１と同様にパック２のワイヤ１２を引き出す。
【００１６】
この参考例１によれば、第１の支持部材２２が第１の接続部材２３とともに支柱２１の廻りに回転自在であり、第２の支持部材２４が第１の支持部材２２の他端に取付けた第２の接続部材２５とともに鉛直軸廻りに回転自在であるので、第２の支持部材２４のいずれかの部分に設けたワイヤ導入孔２６は、複数のペイル容器１１，１１の中央と中央を移動するだけでなく、ペイル容器１１内のワイヤ１２の引出し端部の動きに合わせて逐次自在に移動し、ワイヤ１２を拘束することができる。このため、ワイヤ導入孔２６とペイル容器１１内のワイヤ１２との間のワイヤ１２の弛みが小さくなって、ワイヤ１２のはね上がり、もつれ、およびペイル容器１１周辺の非絶縁体に接触する問題を防止でき、また二重構造のペイル容器１１の場合にも内筒にワイヤ１２が絞り付いてしまうことがない。その結果、溶接が中断しないので、溶接欠陥や作業ロスの発生もなく、複数のペイル容器１１，１１内のワイヤ１２を連続使用することができ、安定した引出し性能を得ることができる。
【００１７】
参考例２のワイヤ引出し装置を図２に基づいて説明する。パック１，２の構成は参考例１と同様である。また、２個のパック１，２の上方に第１の支持部材２０を略水平方向に設けている。この第１の支持部材２０にワイヤ案内部材３が固定された接続部材２７を移動可能に取付けている。接続部材２７は鉛直軸廻りに回転自在で中心にワイヤ案内部材３に連通するワイヤ案内部を設けている。また、斜め下方向に向けて第２の支持部材２４の一端を接続部材２７に固定し、第２の支持部材２４のいずれかの部分にワイヤ導入孔２６を設けている。これにより、第２の支持部材２４が接続部材２７とともに鉛直軸廻りに回転自在である。ワイヤ１２は、ワイヤ導入孔２６から接続部材２７のワイヤ案内部を通ってワイヤ案内部材３へ送られる。
【００１８】
つぎに、このワイヤ引出し装置の動作について説明する。すなわち、接続部材２７をパック１側へ移動させて接続部材２７をパック１の略軸心に位置させる。この状態でパック１のワイヤ１２を引き出すと、第２の支持部材２４が回転してワイヤ導入孔２６がワイヤ１２の引出し端部の動きに合わせて自在に移動し、ワイヤ１２を拘束する。パック１のワイヤ１２がなくなると、接続部材２７をパック２側へ移動させて接続部材２７をパック２の略軸心に位置させ、パック１と同様にパック２のワイヤ１２を引き出す。
【００１９】
この参考例２によれば、接続部材２７が第１の支持部材２０に沿って移動可能であり、第２の支持部材２４が接続部材２７とともに鉛直軸廻りに回転自在であるので、第２の支持部材２４のいずれかの部分に設けたワイヤ導入孔２６は、複数のペイル容器１１，１１の中央と中央を移動するだけでなく、ペイル容器１１内のワイヤ１２の引出し端部の動きに合わせて逐次自在に移動し、ワイヤ１２を拘束することができる。このため、ワイヤ導入孔２６とペイル容器１１内のワイヤ１２との間のワイヤ１２の弛みが小さくなって参考例１と同様に安定した引出し性能を得ることができる。さらに、第１の支持部材２０の長手方向に沿って接続部材２７を移動自在としているので、３個以上のパックを連続使用する場合に有効である。
【００２０】
この発明の実施の形態のワイヤ引出し装置を図３に基づいて説明する。パック１，２の構成は参考例１と同様である。また、２個のパック１，２の間の上方に支柱２１を鉛直方向に設けている。この支柱２１の廻りに第１の接続部材２３を回転自在に取付け、略水平となった支持部材２８の一端を第１の接続部材２３に固定している。また、ワイヤ導入孔２６を設けた第２の接続部材２９を支持部材２８に移動可能に取付けている。これにより、参考例１における第２の支持部材２４の回転運動を、支持部材２８の回転運動と第２の接続部材２９の直線運動に置き換えている。ワイヤ１２は、第２の接続部材２９に設けたワイヤ導入孔２６を通ってワイヤ案内部材３へ送られる。
【００２１】
つぎに、このワイヤ引出し装置の動作について説明する。すなわち、支持部材２８をパック１側へ回転させる。この状態でパック１のワイヤ１２を引き出すと、支持部材２８の回転および第２の接続部材２９の直線運動により、ワイヤ導入孔２６がワイヤ１２の引出し端部の動きに合わせて自在に移動し、ワイヤ１２を拘束する。パック１のワイヤ１２がなくなると、支持部材２８をパック２側へ回転させて、パック１と同様にパック２のワイヤ１２を引き出す。
【００２２】
この実施の形態によれば、支持部材２８が第１の接続部材２３とともに支柱２１の廻りに回転自在であり、第２の接続部材２９が支持部材２８に沿って移動可能であるので、第２の接続部材２９に設けたワイヤ導入孔２６は、複数のペイル容器１１，１１の中央と中央を移動するだけでなく、ペイル容器１１内のワイヤ１２の引出し端部の動きに合わせて逐次自在に移動し、ワイヤ１２を拘束することができる。このため、ワイヤ導入孔２６とペイル容器１１内のワイヤ１２との間のワイヤ１２の弛みが小さくなって参考例１と同様に溶接を中断することなく安定した引出し性能を得ることができる。さらに、参考例１と比較すると、第２の支持部材２４の回転運動を、支持部材２８の回転および第２の接続部材２９の直線運動に置き換えているので、第２の支持部材２４を省略することができ、装置の構造を簡略にすることができる。
【００２３】
なお、上記の実施の形態および参考例のパック１，２のペイル容器１１は、便宜上内筒のある二重構造としたが、内筒がない構造でも同様の効果を得ることができる。また、上記の実施の形態および参考例において、パックを３個以上にしてもよい。この場合、実施の形態および参考例１ではパックを支柱２１を軸心として円周上に配置し、参考例２ではパックを第１の支持部材２０の下方に直線上に配置する。
【００２６】
【発明の効果】
請求項１記載のワイヤ引出し装置によれば、支持部材が第１の接続部材とともに鉛直軸廻りに回転自在であり、第２の接続部材が支持部材に沿って移動可能であるので、第２の接続部材に設けたワイヤ導入孔は、複数のペイル容器の中央と中央を移動するだけでなく、ペイル容器内のワイヤの引出し端部の動きに合わせて逐次自在に移動し、ワイヤを拘束することができる。このため、ワイヤ導入孔とペイル容器内のワイヤとの間のワイヤの弛みが小さくなって、ワイヤのはね上がり、もつれ、およびペイル容器周辺の非絶縁体に接触する問題を防止でき、また二重構造のペイル容器の場合にも内筒にワイヤが絞り付いてしまうことがない。その結果、溶接が中断しないので、溶接欠陥や作業ロスの発生もなく、複数のペイル容器内のワイヤを連続使用することができ、安定した引出し性能を得ることができる。さらに、複数のペイル容器の間の上方に第１の接続部材を鉛直軸廻りに回転自在に設け、略水平となった第１の支持部材の一端を第１の接続部材に固定し、第１の支持部材の他端に鉛直軸廻りに回転自在で中心にワイヤ案内部を設けた第２の接続部材を取付け、斜め下方向に向けて第２の支持部材の一端を第２の接続部材に固定し、第２の支持部材のいずれかの部分にワイヤ導入孔を設けた構成と比較すると、第２の支持部材の回転運動を、支持部材の回転および第２の接続部材の直線運動に置き換えているので、第２の支持部材を省略することができ、装置の構造を簡略にすることができる。
【図面の簡単な説明】
【図１】参考例１のワイヤ引出し装置の断面図である。
【図２】参考例２のワイヤ引出し装置の断面図である。
【図３】この発明の実施の形態のワイヤ引出し装置の断面図である。
【図４】従来例の断面図である。
【図５】別の従来例の断面図である。
【図６】さらに別の従来例の断面図である。
【符号の説明】
１  先行して使用しているパック
２  次に使用するパック
３  ワイヤ案内部材
１１  ペイル容器
１２  ワイヤ
１３  ワイヤ押え治具
１４  バット溶接により接続されたワイヤの部分
２０  第１の支持部材
２１  支柱
２２  第１の支持部材
２３  第１の接続部材
２４  第２の支持部材
２５  第２の接続部材
２６  ワイヤ導入孔
２７  接続部材
２８  支持部材
２９  第２の接続部材
【図１】
0003563190.tif 000002
【図２】
0003563190.tif 000003
【図３】
0003563190.tif 000004
【図４】
0003563190.tif 000005
【図５】
0003563190.tif 000006
【図６】
0003563190.tif 000007